(57)【要約】【課題】電源用コンタクトを備えたコネクタにおいて、相手方コネクタとの嵌合位置ずれがある場合でもスムーズに嵌合できるようにする。【解決手段】フローティング型のレセプタクルコネクタ１は、内部空間１２を有して基板９０に接合固定される固定側ハウジング１０と、プラグコネクタ７０を受容する受容凹部２３が形成された突出部２２を有した可動側ハウジング２０と、一端側が固定側ハウジング１０に保持され、他端側が可動側ハウジング２０に保持されて前後方向に並んで配設された複数の信号用コンタクト３０と、一端側が固定側ハウジングに保持されるとともに他端側が可動側ハウジングに保持されて信号用コンタクト３０と同列に前後方向に並んで配設された、信号用コンタクトより前後方向寸法が大きな電源用コンタクト４０とを有する。電源用コンタクト４０において、中間部が一端側に繋がる第１電源用コンタクト４１と第２電源用コンタクト４５とに二分割されて構成される。【選択図】図５
2007220327.tif 000002
【特許請求の範囲】
【請求項１】
上方に開口した内部空間を有し、下面側において基板等に接合固定可能な固定側ハウジングと、上方に開口した相手方コネクタと嵌合する嵌合空間を有し、前記固定側ハウジングの前記内部空間内に少なくとも左右方向に間隙を有して配置される部分を有した可動側ハウジングと、一端側が前記固定側ハウジングに保持されるとともに他端側が前記可動側ハウジングに保持されて前後方向に並んで配設された複数の信号用コンタクトと、一端側が前記固定側ハウジングに保持されるとともに他端側が前記可動側ハウジングに保持されて前記信号用コンタクトと同列に前後方向に並んで配設され、前記信号用コンタクトより前後方向寸法が大きな電源用コンタクトとを有して構成され、
前記複数の信号用コンタクトがそれぞれ、前記一端側において前記嵌合空間内に露出して設けられて前記相手側コネクタの信号用コンタクトと接触するための信号用接触部と、前記他端側において前記基板の信号配線部に接合される信号用接合部と、前記信号用接触部と前記信号用接合部を繋ぐ信号用中間部を有し、前記信号用中間部が弾性変形可能であり、前記信号用中間部が弾性変形して前記可動側ハウジングが前記固定側ハウジングに対して少なくとも左右方向に移動自在であり、
前記電源用コンタクトが、前記一端側において前記嵌合空間内に露出して設けられて前記相手側コネクタの電源用コンタクトと接触する電源用接触部と、前記他端側において前記基板の電源配線部に接合される電源用接合部と、前記電源用接触部と前記電源用接合部を繋ぐ電源用中間部を有し、
前記電源用中間部が、前記可動側ハウジングが前記固定側ハウジングに対して移動したときに対する抵抗力が小さくなるような構成であることを特徴とするフローティング型コネクタ。
【請求項２】
前記電源用中間部が、前記電源用接触部に繋がる接触部側中間部と、前記電源用接合部に繋がる接合部側中間部とに二分割されて構成され、前記接触部側中間部と前記接合部側中間部とが弾性的に当接接触するように構成されていることを特徴とする請求項１に記載のフローティング型コネクタ。
【発明の詳細な説明】
【技術分野】
【０００１】
本発明は、基板に対して固定された固定側ハウジングと相手方コネクタと嵌合する嵌合部を有した可動側ハウジングとを有し、可動側ハウジングが固定側ハウジングに対して移動自在な構成とすることにより、相手方コネクタとの嵌合結合時にハウジング同士の位置ずれがあった場合でもこれを吸収してコネクタ同士を確実に結合させることができるようにしたフローティング型コネクタに関する。
【背景技術】
【０００２】
フローティング型コネクタと称されるコネクタは、基板に対して固定された固定側ハウジングと相手方コネクタと嵌合する嵌合部を有した可動側ハウジングとを有し、コンタクトが固定側ハウジングと可動側ハウジングとの双方に保持された構成となっている。可動側ハウジングはコンタクトの弾性力により固定側ハウジングに対して移動自在であり、相手方コネクタとの嵌合結合時にハウジング同士の位置ずれがあった場合でもこれが吸収されるため、相手方コネクタと確実に結合させることができる（下記の特許文献１〜６参照）。
【０００３】
図１３は従来のフローティング型コネクタの一例としてのレセプタクルコネクタを示しており、基板１９０に対して固定された固定側ハウジング１１０と、相手方となるプラグコネクタの突起部（図示せず）を受容し得る受容凹部（嵌合空間）１２３を有した可動側ハウジング１２０と、これら両ハウジング１１０，１２０により保持された複数のコンタクト１３０とから構成される。各コンタクト１３０は固定側ハウジング１１０に保持された部分（第１圧入係止部１３１）から外方に延びたリード部（接合部）１３３が基板１９０上の配線パターン（配線部）１９１に接続されるとともに、可動側ハウジング１２０に保持された部分（第２圧入係止部１３２）から上方に延びた接触部１３４が受容凹部１２３の表面に露出して設けられる。
【０００４】
第１圧入係止部１３１と第２圧入係止部１３２との間に形成されたＵ字状の可撓部（中間部）１３５は図８の紙面面内方向（左右方向）に弾性変形可能であり、これにより可動側ハウジング１２０が固定側ハウジング１１０に対して左右に移動できるようになっている。各コンタクト１３０の可撓部１３５は可動側ハウジング１２０と固定側ハウジング１１０との間を基板１９０とは反対の側（図における上方）に向けて凸となるように延びており、可動側ハウジング１２０の固定側ハウジング１１０に対する相対移動を許容しつつも、上下方向の寸法を極力小さくすることができるようになっている。このような構成のコネクタは、近年における電子機器の小型軽量化に伴って採用されるようになっており、上下方向寸法の小さいいわゆる低背型のフローティング型コネクタとして知られている。
【０００５】
【特許文献１】特開平４−３７０６７７号公報
【特許文献２】特開平６−３１０１９７号公報
【特許文献３】特開平６−２６０２４２号公報
【特許文献４】特開平１０−５５８５６号公報
【特許文献５】実公平７−３３４０８号公報
【特許文献６】実開平５−２３４２９号公報
【発明の開示】
【発明が解決しようとする課題】
【０００６】
このように構成された低背型のフローティング型コネクタにおいては、複数のコンタクト１３０は信号伝達に用いられており、信号用の小さな電流の伝達を行えば良く、また小型コンパクト化の要求に伴ってその幅は極く細いものであった。ところが、このコネクタを介して信号電流とともに電源電流の伝達を求められることがあり、このような場合に、信号用コンタクトは幅が細すぎて電源用のコンタクトとして用いるのに適していないという問題があった。電源用コンタクトとして幅が広いコンタクトを用いるということが考えられるが、幅の広いコンタクトを用いた場合には、可動側ハウジング１２０が固定側ハウジング１１０に対して移動できるようする可撓部（中間部）も幅広となるため、この移動に対する抵抗力が大きくなりすぎるという使用上の問題がある。
【０００７】
本発明はこのような問題に鑑みてなされたものであり、電源用コンタクトを備えるとともに、相手方コネクタとの嵌合時にハウジング同士の位置ずれを吸収するときの抵抗力を小さく抑えることが可能な構成のフローティング型コネクタを提供することを目的としている。
【課題を解決するための手段】
【０００８】
本発明に係るフローティング型コネクタ（例えば、実施形態におけるレセプタクルコネクタ１）は、上方に開口した内部空間を有し、下面側において基板等に接合固定可能な固定側ハウジングと、上方に開口した相手方コネクタと嵌合する嵌合空間を有し、固定側ハウジングの内部空間内に間隙を有して配置される部分（例えば、実施形態における突出部２２）を有した可動側ハウジングと、一端側が固定側ハウジングに保持されるとともに他端側が可動側ハウジングに保持されて前後方向に並んで配設された複数の信号用コンタクトと、一端側が固定側ハウジングに保持されるとともに他端側が可動側ハウジングに保持されて信号用コンタクトと同列に前後方向に並んで配設され、信号用コンタクトより前後方向寸法が大きな電源用コンタクトとを有して構成される。そして、複数の信号用コンタクトがそれぞれ、一端側において嵌合空間内に露出して設けられて相手側コネクタの信号用コンタクトと接触する信号用接触部と、他端側において基板の信号配線部に接合される信号用接合部と、信号用接触部と信号用接合部を繋ぐ信号用中間部を有し、信号用中間部が弾性変形可能であり、信号用中間部が弾性変形して可動側ハウジングが固定側ハウジングに対して移動自在であり、電源用コンタクトが、一端側において嵌合空間内に露出して設けられて相手側コネクタの電源用コンタクトと接触する電源用接触部と、他端側において基板の電源配線部に接合される電源用接合部と、電源用接触部と電源用接合部を繋ぐ電源用中間部を有し、電源用中間部が、可動側ハウジングが固定側ハウジングに対して移動したときに対する抵抗力が小さくなるような構成である。
【０００９】
なお、電源用中間部が、電源用接触部に繋がる接触部側中間部（例えば、実施形態における第１可撓部４３および第１当接部４４）と電源用接合部に繋がる接合部側中間部（例えば、実施形態における第２可撓部４７および第２当接部４６）とに二分割されて構成され、接触部側中間部と接合部側中間部とが弾性的に当接接触するように構成することができる。
【発明の効果】
【００１０】
本発明に係るフローティング型コネクタでは、電源用コンタクトにおいて電源用接触部と電源用接合部を繋ぐ電源用中間部が、可動側ハウジングが固定側ハウジングに対して移動したときに対する抵抗力が小さくなるような構成であるので、幅広で電源用として大きな容量を確保した電源用コンタクトを設けた上で、相手方コネクタとの嵌合時にハウジング同士の位置ずれを吸収するときの抵抗力を小さく抑えて実用上での問題のないフローティングコネクタを得ることができる。
【発明を実施するための最良の形態】
【００１１】
以下、図面を参照して本発明の好ましい実施形態について説明する。図１〜図１２（図８を除く）は本発明の一実施形態に係るフローティング型コネクタであるレセプタクルコネクタ１およびその構成部品を示している。また、図８および図１１にはこのレセプタクルコネクタ１と嵌合するプラグコネクタ７０を示している。本実施形態では説明の便宜上、各図中に示すように前後、左右、上下方向を定義しているが、実際の使用はこの方向に限定されるものではなく、このことは請求の範囲の記載についても同様である。
【００１２】
レセプタクルコネクタ１は、下面側において基板９０に対して固定される固定側ハウジング１０と、上方に開口した受容凹部（嵌合空間）２３を有した可動側ハウジング２０と、これら固定側ハウジング１０および可動側ハウジング２０の双方に跨って保持された複数の信号用コンタクト３０と、これらコンタクト３０と同列に並んで配設された電源用コンタクト４０と、固定金具５０とを有して構成されている。
【００１３】
固定側ハウジング１０および可動側ハウジング２０は図１および図２に示すように前後方向に延びた矩形形状を有しており、ともに樹脂等の電気絶縁性材料から構成される。固定側ハウジング１０は上下方向に貫通した内部空間１２を有した枠形状の部材から構成される。内部空間１２を形成する前後方向に延びた左右壁１１，１１の内面には、信号用コンタクト３０を保持するための多数の信号用コンタクト取り付け溝１３ａが前後に並んで且つ上下に延びて設けられ、左右壁１１，１１の前部側には左右一対の電源用コンタクト取り付け溝１３ｂが上下に延びて設けられている。上記のように固定側ハウジング１０に形成される内部空間１２は必ずしも上下に貫通する必要はなく、少なくとも上方に開口した空間であれば良い。
【００１４】
可動側ハウジング２０は平板状の基部２１と、この基部２１の中央から矩形枠状に下方に突出した前後方向に長い形状の突出部２２とを有している。突出部２２は、外周面が固定側ハウジング１０の上記内部空間１２内に上方から、少なくとも左右に間隙を有して入り込むことができる形状に形成されている。この突出部２２には上面側に開口した上記受容凹部２３が形成されており、突出部２２は全体として矩形状の有底鉢状に形成されている。受容凹部２３の内壁面には上記信号用コンタクト３０を保持するための多数の信号用コンタクト取り付け溝２４ａが前後に並んで且つ上下に延びて設けられ、受容凹部２３の内壁面の前部側には左右一対の電源用コンタクト取り付け溝２４ｂが上下に延びて設けられている。これらコンタクト取り付け溝２４ａ，２４ｂの下部は突出部２２の底壁を貫通する信号用および電源用コンタクト取り付け孔２４ｃ，２４ｄに繋がって上下に貫通している。
【００１５】
各信号用コンタクト３０は例えば板金（弾性体からなる導電性材料）を打ち抜き加工した後、図２に示すように所定の形状に曲げ成形されて構成されている。各信号用コンタクト３０は一端側において信号用コンタクト取り付け溝１３内に挿入されて固定側ハウジング１０に保持され、他端側において信号用コンタクト取り付け溝２４内に挿入されて可動側ハウジング２０に保持され、この結果、固定側ハウジング１０と可動側ハウジング２０とが複数の信号用コンタクト３０を介して繋がってレセプタクルコネクタ１が構成される。各信号用コンタクト３０は、このように両ハウジングに跨って保持された状態で内側に位置する信号用接触部３４と、下面外側に延びる信号用リード部（信号用接合部）３３と、これらを繋ぐ逆Ｕ字状の信号可撓部（信号用中間部）３５とを有して構成される。なお、信号用コンタクト３０は可動側ハウジング２０の左右両側に、前後方向に一定のピッチで並んで設けられる（図１参照）。
【００１６】
図２に示すように、各信号用コンタクト３０における信号用可撓部３５の両側には他の部分よりやや幅広の第１圧入係止部３１および第２圧入係止部３２が形成されており、第１圧入係止部３１が固定側ハウジング１０の信号用コンタクト取り付け溝１３ａに圧入されて保持され、第２圧入係止部３２が可動側ハウジング２０の信号用コンタクト取り付け孔２４ｃに圧入されて保持される。第１圧入係止部３１から外方に延びた信号用リード部３３は基板９０上の配線パターン９１に半田付け等により接合（サーフェスマウント）され、第２圧入係止部３２から上方に延びた信号用接触部３４は可動側ハウジング２０に形成された上記受容凹部２３の信号用コンタクト取り付け溝２４ａ内に位置すると共に内側に露出して設けられる。各信号用コンタクト３０における第１圧入係止部３１と第２圧入係止部３２との間（中間部）に位置する信号用可撓部３５は、可動側ハウジング２０における突出部２２と固定側ハウジング１０の左右壁１１との間を上方に凸となるように延びており、左右に弾性変形自在となっている。
【００１７】
図３、図４、図９等に示すように、可動側ハウジング２０の基部２１の左右両端部からはコンタクト保護壁２５が基板９０側（下方）に向けて延びて設けられている。このコンタクト保護壁２５と突出部２２との間には下方に開口するコンタクト保護空間２６が形成されており、各信号用コンタクト３０の可撓部３５の上部はこのコンタクト保護空間２６内に位置している。なお、上記コンタクト保護壁２５は、外部の異物等から信号用コンタクト３０の可撓部３５を保護するために設けられるものである。
【００１８】
電源用コンタクト４０は、図６および図７に示すように、可動側ハウジング２０に保持される第１電源用コンタクト４１と、固定側ハウジング１０に保持される第２電源用コンタクト４５とから構成される。これら第１および第２電源用コンタクト４１，４５は、例えば板金（弾性体からなる導電性材料）を打ち抜き加工した後、図示の形状に曲げ成形されて作られる。第１電源用コンタクト４１は、可動側ハウジング２０の電源用コンタクト取り付け溝２４ｂ内に挿入配設される電源用接触部４２と、第２電源用コンタクト４６と当接接触する第１当接部４４と、電源用接触部４２と第１当接部４４とを繋ぐ逆Ｕ字状の第１可撓部４３とから構成される。電源用接触部４２の下部の左右側端には左右に突出した第３圧入係止部４２ａが形成されており、この第３圧入係止部４２ａが可動側ハウジング２０の電源用コンタクト取り付け孔２４ｄ内に圧入保持される。
【００１９】
第２電源用コンタクト４５は、上記第１当接部４４と当接接触する第２当接部４６と、第２当接部４６に繋がる逆Ｕ字状の第２可撓部４７と、第２可撓部４７の下部に繋がって外方に水平に延びる電源用リード部（電源用接合部）４８とから構成される。第２可撓部４７の左右側端には左右に突出した第４圧入係止部４７ａが形成されており、この第４圧入係止部４７ａが固定側ハウジング１０の電源用コンタクト取り付け溝１３ｂ内に圧入保持される。第２当接部４６の内面には内方に突出する接触突起４６ａが形成されており、この接触突起４６ａが第１電源用コンタクト４１の第１当接部４４と当接接触するように構成されている。
【００２０】
図１および図２に示すように、固定側ハウジング１０の前後両端部には固定金具５０が取り付けられる。これら固定金具５０はその中央部５２の両端にハウジング結合部５１，５１を有するとともに、中央部５２の下端から内方に屈曲して水平に延びた左右一対の基板結合部５３，５３を有しており、ハウジング結合部５１，５１を固定側ハウジング１０の前後両端部に設けられた金具取り付け溝１４内に圧入して固定保持される。固定金具５０はレセプタクルコネクタ１の基板９０への取り付けに用いられるもので、基板９０上への位置決めをしたうえで、固定金具５０の基板結合部５３を基板９０上のマウントパターンに半田付けするとともに、信号用コンタクト３０の信号用リード部３３を基板９０上の配線パターンに半田付けして取り付けられる（サーフェスマウントされる）。
【００２１】
以上のように構成されたレセプタクルコネクタ１と嵌合接続される相手方コネクタであるプラグコネクタ７０について、図８および図１１を参照して説明する。プラグコネクタ７０は図示のようにレセプタクルコネクタ１の受容凹部２３と嵌合し得る形状の突起部７２を有した電気絶縁性材料からなるプラグハウジング７１と、このプラグハウジング７１に保持された弾性体かつ導電性材料からなる複数の信号用コンタクト７３と、同じくプラグハウジング７１に保持された弾性体かつ導電性材料からなる左右一対の電源用コンタクト７５とを有する。これら信号用コンタクト７３および電源用コンタクト７５は、レセプタクルコネクタ１の各信号用コンタクト３０および電源用コンタクト４０と対応するよう、突起部７２の左右両側に、前後方向に所定のピッチで設けられている。
【００２２】
各信号用コンタクト７３は、図示のようにＳ字状に折り曲げ成形された信号用接触部７３ａ（なお、信号用接触部７３ａは、図１１に示すように「く」の字状に折り曲げ成形しても良い）と、信号用接触部７３ａの下部に設けられた係止保持部７３ｂと、係止保持部７３ｂの下端から直角に折れ曲がって外方に延びる信号用リード部７３ｃとから構成される。係止保持部７３ｂにおいてプラグハウジング７１に係止保持されるため、信号用接触部７３ａは片持ち状態で上方に延び左右に弾性変形自在となっている。信号用リード部７３ｃはプラグコネクタ７０が取り付けられる基板（図示せず）上の所定の配線パターンに半田接合（サーフェスマウント）されている。同様に、電源用コンタクト７５は係止保持部（図示せず）において片持ち支持されて上方に延びた電源用接触部７５ａが左右方向に弾性変形自在となっており、係止保持部に一体に繋がって外方に延びる電源用リード部７５ｃがこの相手方コネクタ７０が取り付けられる基板（図示せず）上の所定の配線パターンに接続されている。
【００２３】
プラグコネクタ７０の突起部７２をレセプタクルコネクタ１の受容凹部２３内に、図１６に示すように上方から挿入すると、プラグコネクタ７０の突起部７２はレセプタクルコネクタ１の受容凹部２３内に嵌入する。このときプラグコネクタ７０の信号用コンタクト７３はレセプタクルコネクタ１の信号用コンタクト３０（信号用接触部３４）と接触しつつ左右方向に弾性変形させられるので、両信号用コンタクト３０，７３は適切な接触力をもって接触し、両コネクタ１，７０間での信号伝送が可能となる。同様に、電源用コンタクト７５はレセプタクルコネクタ１の電源用コンタクト４０（第１電源用コンタクト４１の電源用接触部４２）と接触しつつ左右方向に弾性変形させられるので、両信号用コンタクト４０，７３は適切な接触力をもって接触し、両コネクタ１，７０間での電源接続（電力伝送）が可能となる。
【００２４】
ここで、図１１に示すように、レセプタクルコネクタ１における受容凹部２３の中心軸面Ｓ１（この中心軸面Ｓ１は図１１の紙面に垂直な方向すなわち前後方向に延びている）とプラグコネクタ７０における突起部７２の中心軸面Ｓ２（この中心軸面Ｓ２も図１１の紙面に垂直な方向に延びている）とが一致している場合には、両コネクタ１，７０の結合操作において、プラグコネクタ７０の突起部７２とレセプタクルコネクタ１の受容凹部２３とはそのまま嵌合するが（図１１（Ｂ）に示す状態）、両中心軸面Ｓ１，Ｓ２が一致していなかった（ずれていた）場合には、突起部７２と受容凹部２３とはそのまま嵌合せずに、プラグコネクタ７０の突起部７２の下端に形成された斜面７２ａがレセプタクルコネクタ１の受容凹部２３の上端に形成された斜面２３ａに上方から当接する。
【００２５】
このとき、可動側ハウジング２０は弾性体からなる信号用コンタクト３０を介して固定側ハウジング１０に対して移動自在であるため、上記両斜面７２ａ，２３ａの当接により生じた可動側ハウジング２０を横方向に移動させる力によって可動側ハウジング２０はその方向（左右方向）へ移動し、その上で両嵌合部７２，２３は嵌合する。図１２はこのようにレセプタクルコネクタ１の受容凹部２３の中心軸面Ｓ１とプラグコネクタ７０の突起部７２の中心軸面Ｓ２とが一致していない場合（左右にずれている場合）において、可動側ハウジング２０が左右に移動した状態を示している。この場合、図１２における左方に位置する信号用コンタクト３０の可撓部３５はＵ字状部下方の間隔が狭まるように変形し、紙面右方に位置する信号用コンタクト３０の可撓部３５はＵ字状部下方の間隔が拡がるように変形した状態となる。
【００２６】
このとき、電源用コンタクト４０についても同様な弾性変形が生じる。すなわち、左側に位置する電源用コンタクト４０においては、第２電源用コンタクト４５が第１電源用コンタクト４１に押し付けられ、第１可撓部４４と第２可撓部４７との間隔が狭まるように弾性変形する。一方、右側に位置する電源用コンタクト４０においては、第２電源用コンタクト４５が第１電源用コンタクト４１に離れる方向に移動するが、第１可撓部４４と第２可撓部４７とが広がる方向に弾性変形して、両者の当接接触状態（第１当接部４４と第２当接部４６との当接接触状態）が保持される。
【００２７】
上記のように可動側ハウジング２０を左右方向へ移動させて両嵌合部７２，２３を嵌合させるときに、信号用コンタクト３０の可撓部３５を弾性変形させるために必要な力（これを第１変形力と称する）と、電源用コンタクト４０の第１可撓部４４および第２可撓部４７を弾性変形させるために必要な力（これを第２変形力と称する）とがこの移動に対する抵抗力として作用する。このとき、信号用コンタクト３０は一体に繋がった状態で固定側ハウジング１０と可動側ハウジング２０とに跨って配設されているため、第１変形力は大きくなる傾向がある。しかしながら、信号用コンタクト３０は信号電流という低電流を伝達するものであるため極く細い形状であり、第１変形力が過度に大きくなることはなく、所望の値に抑えることができる。
【００２８】
これに対して電源用コンタクト４０は電源電流という比較的大きな電流を流す必要から、図示のように信号用コンタクト３０より大きな幅を有しており、信号用コンタクト３０と同一の側面形状の一体に繋がった構成とした場合には第２変形力が過度に大きくなりすぎてプラグコネクタ７０の嵌合に要する力が大きくなりすぎるという問題がある。しかしながら、上述のように、電源用コンタクト４０を第１および第２電源用コンタクト４１，４５の二つに分割して構成しているめ、第１可撓部４４および第２可撓部４７をそれぞれ独立して弾性変形させることになり、第２変形力を小さく抑えることができる。この結果、レセプタクルコネクタ１の受容凹部２３の中心軸面Ｓ１とプラグコネクタ７０の突起部７２の中心軸面Ｓ２とが一致していない場合でも、可動側ハウジング２０を比較的小さな抵抗力で左右に移動させることができ、レセプタクルコネクタ１とプラグコネクタ７０とをスムーズに嵌合させることが可能である。
【００２９】
このように本実施形態に係るレセプタクルコネクタ１では、相手方コネクタ（プラグコネクタ７０）との嵌合結合時にハウジング同士の位置ずれがある場合でもこれが吸収されるようになっており、双方のハウジング２０、７１を傷付けたり双方の信号用コンタクト３０，７３を塑性変形させたりすることなく、確実な結合を行うことが可能である。また、信号用コンタクト３０のＵ字状の可撓部３５は可動側ハウジング２０と固定側ハウジング１０との間を基板９０とは反対の側に向けて凸となるように延びており、いわゆる低背型のフローティング型コネクタの構成となっているので、可動側ハウジング２０の固定側ハウジング１０に対する相対移動を許容しつつも、上下方向の寸法を極力小さくすることができるようになっている。
【００３０】
また、上記のようにレセプタクルコネクタ１の受容凹部２３の中心軸面Ｓ１とプラグコネクタ７０の突起部７２の中心軸面Ｓ２とが一致していなかった場合には、図１２に示すようにやや横方向外方に倒れるようにも変形するが、この可撓部３５は可動側ハウジング２０に設けられたコンタクト保護壁２５の内方に形成形成されたコンタクト保護空間２６内に位置しているため、可動側ハウジング２０が固定側ハウジング１０に対して大きく移動して可撓部３５が倒れ変形した場合であっても、この可撓部３５がコンタクト保護壁２５と接触することはない。
【００３１】
これまで本発明の好ましい実施形態について説明してきたが、本発明の範囲は上述の実施形態に示したものに限定されない。例えば、上述の実施形態においては、第２変形力を小さくするため、電源用コンタクト４０を第１および第２電源用コンタクト４１，４２に分割しているが、これを弾性変形力が小さくなるような材料もしくは形状として、信号用コンタクトと同一の側面視形状となる一体構成としても良い。
【図面の簡単な説明】
【００３２】
【図１】本発明の一実施形態であるレセプタクルコネクタを示す図であり、（Ａ）は平面図、（Ｂ）は側面図、（Ｃ）は底面図である。
【図２】上記レセプタクルコネクタの分解斜視図である。
【図３】図１（Ｂ）の矢印III−IIIに沿った上記レセプタクルコネクタの一部の斜視図である。
【図４】図１（Ｂ）の矢印IV−IVに沿った上記レセプタクルコネクタの一部の斜視図である。
【図５】図１（Ｂ）の示す矢印IV−Ｖに沿った上記レセプタクルコネクタの一部の斜視図である。
【図６】上記レセプタクルコネクタを構成する電源用コンタクトの構成を示す斜視図である。
【図７】上記電源用コンタクトの分解斜視図である。
【図８】上記レセプタクルコネクタと嵌合する相手となるプラグコネクタの斜視図である。
【図９】上記レセプタクルコネクタを、図３における矢印IVに沿って見た断面図である。
【図１０】上記レセプタクルコネクタを、図９における矢印V−Vに沿って見た断面図である。
【図１１】上記レセプタクルコネクタにプラグタイプの相手方コネクタを合させる様子を示す図であり、（Ａ）は両コネクタの結合前の状態、（Ｂ）は両コネクタの結合後の状態をそれぞれ示している。
【図１２】レセプタクルコネクタの受容凹部の中心軸面とプラグコネクタの突起部の中心軸面とが一致していなかった場合において、両コネクタの結合時に可動側ハウジングが紙面左方に移動した状態を示す図である。
【図１３】従来におけるレセプタクルコネクタの一例の断面図である。
【符号の説明】
【００３３】
１      レセプタクルコネクタ（フローティング型コネクタ）
１０    固定側ハウジング
１２    内部空間
２０    可動側ハウジング
２３    受容凹部（凹部）
２５    コンタクト保護壁
２６    コンタクト保護空間
３０    信号用コンタクト
３１    第１圧入係止部
３２    第２圧入係止部
３３    信号用リード部
３４    接触部
３５    可撓部
４０    電源用コンタクト
４１    第１電源用コンタクト
４５    第２電源用コンタクト
７０    プラグコネクタ（相手方コネクタ）
９０    基板
【図１】
2007220327.tif 000003
【図２】
2007220327.tif 000004
【図３】
2007220327.tif 000005
【図４】
2007220327.tif 000006
【図５】
2007220327.tif 000007
【図６】
2007220327.tif 000008
【図７】
2007220327.tif 000009
【図８】
2007220327.tif 000010
【図９】
2007220327.tif 000011
【図１０】
2007220327.tif 000012
【図１１】
2007220327.tif 000013
【図１２】
2007220327.tif 000014
【図１３】
2007220327.tif 000015